【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
第１、第２、第３及び第４のチャンバを内部に有し、気体が含まれた筐体と、
前記筐体の内部を仕切ることで上下方向に配列された前記第１及び第２のチャンバを形成し、前記振動により前記気体に圧力変化を与える第１の振動体と、
前記筐体の内部を仕切ることで前記上下方向に配列された前記第３及び第４のチャンバを形成し、前記振動により前記気体に圧力変化を与える第２の振動体と、
前記第１のチャンバに連通する第１の流路群と、前記第２のチャンバに連通し、水平方向で前記第１の流路群と並ぶように配列された第２の流路群と、前記第３のチャンバに連通する第３の流路群と、前記第４のチャンバに連通し、前記水平方向で前記第３の流路群と並ぶように配列された第４の流路群とを有し、前記圧力変化により前記第１、第２、第３及び第４の流路群から前記気体を吐出させるノズル体と
を具備することを特徴とする噴流発生装置。
【請求項２】
請求項１に記載の噴流発生装置であって、
前記第１及び第２の振動体は、同位相で振動することを特徴とする噴流発生装置。
【請求項３】
請求項１に記載の噴流発生装置であって、
前記第１及び第２の振動体は、逆位相で振動することを特徴とする噴流発生装置。
【請求項４】
請求項３に記載の噴流発生装置であって、
前記第１の流路群と前記第４の流路群とが前記上下方向で並ぶように配置され、かつ、前記第２の流路群と前記第３の流路群とが前記上下方向で並ぶように配置され、
当該噴流発生装置は、
前記ノズル体に設けられ、前記第１の流路群と前記第４の流路群との間、及び、前記第２の流路群と前記第３の流路群との間のうち、少なくとも一方に配置された仕切り板をさらに具備することを特徴とする噴流発生装置。
【請求項５】
第１、第２、第３及び第４のチャンバを内部に有し、気体が含まれた筐体と、
前記筐体の内部を仕切ることで上下方向に配列された前記第１及び第２のチャンバを形成し、前記振動により前記気体に圧力変化を与える第１の振動体と、
前記筐体の内部を仕切ることで前記上下方向に配列された前記第３及び第４のチャンバを形成し、前記振動により前記気体に圧力変化を与える第２の振動体と、
前記第１のチャンバに連通する第１の流路群と、前記第２のチャンバに連通する第２の流路群と、前記第３のチャンバに連通し、水平方向で前記第１の流路群と並ぶように配列された第３の流路群と、前記第４のチャンバに連通し、前記水平方向で前記第２の流路群と並ぶように配列された第４の流路群とを有し、前記圧力変化により前記第１、第２、第３及び第４の流路群から前記気体を吐出させるノズル体と
を具備することを特徴とする噴流発生装置。
【請求項６】
請求項５に記載の噴流発生装置であって、
前記第１及び第２の振動体は、同位相で振動することを特徴とする噴流発生装置。
【請求項７】
請求項５に記載の噴流発生装置であって、
前記第１及び第２の振動体は、逆位相で振動することを特徴とする噴流発生装置。
【請求項８】
請求項７に記載の噴流発生装置であって、
前記第１の流路群と前記第２の流路群とが前記上下方向で並ぶように配置され、かつ、前記第３の流路群と前記第４の流路群とが前記上下方向で並ぶように配置され、
当該噴流発生装置は、
前記ノズル体に設けられ、前記第１の流路群と前記第２の流路群との間、及び、前記第３の流路群と前記第４の流路群との間のうち、少なくとも一方に配置された仕切り板をさらに具備することを特徴とする噴流発生装置。
【請求項９】
第１、第２、第３及び第４のチャンバを内部に有し、気体が含まれた筐体と、
前記筐体の内部を仕切ることで上下方向に配列された前記第１及び第２のチャンバを形成し、前記振動により前記気体に圧力変化を与える第１の振動体と、
前記筐体の内部を仕切ることで前記上下方向に配列された前記第３及び第４のチャンバを形成し、前記振動により前記気体に圧力変化を与える第２の振動体と、
前記第１のチャンバに連通する第１の流路群と、前記第２のチャンバに連通する第２の流路群とを有し、前記圧力変化により前記第１及び第２の流路群から、第１の方向へ前記気体を吐出させる第１のノズル体と、
前記第３のチャンバに連通する第３の流路群と、前記第４のチャンバに連通する第４の流路群とを有し、前記圧力変化により前記第３及び第４の流路群から前記気体を、前記第１の方向とは異なる第２の方向へ吐出させる第２のノズル体と
を具備することを特徴とする噴流発生装置。
【請求項１０】
第１、第２、第３及び第４のチャンバを内部に有し、気体が含まれた筐体と、
前記筐体の内部を仕切ることで上下方向に配列された前記第１及び第２のチャンバを形成し、前記振動により前記気体に圧力変化を与える第１の振動体と、
前記筐体の内部を仕切ることで前記上下方向に配列された前記第３及び第４のチャンバを形成し、前記振動により前記気体に圧力変化を与える第２の振動体と、
前記第１のチャンバに連通し、最上列に配置された第１の流路群と、前記第２のチャンバに連通し、前記最上列から２番目の列で前記第１の流路群と並ぶように配置された第２の流路群と、前記第３のチャンバに連通し、前記最上列から３番目の列で前記第１の流路群と並ぶように配置された第３の流路群と、前記第４のチャンバに連通し、前記最上列から４番目の列で前記第１の流路群に対して前記上下方向で重ならないように配置された第４の流路群とを有し、前記圧力変化により前記第１、第２、第３及び第４の流路群から前記気体を吐出させるノズル体と、
前記第１の流路群と前記第２の流路群との間に設けられた第１の仕切り板と、
前記第３の流路群と前記第４の流路群との間に設けられた第２の仕切り板と
を具備することを特徴とする噴流発生装置。
【請求項１１】
第１、第２、第３及び第４のチャンバを内部に有し、気体が含まれた筐体と、
前記筐体の内部を仕切ることで上下方向に配列された前記第１及び第２のチャンバを形成し、前記振動により前記気体に圧力変化を与える第１の振動体と、
前記筐体の内部を仕切ることで前記上下方向に配列された前記第３及び第４のチャンバを形成し、前記振動により前記気体に圧力変化を与える第２の振動体と、
前記第１のチャンバに連通し、最上列に配置された第１の流路群と、前記第２のチャンバ及び第３のチャンバに連通し、前記最上列から２番目の列で前記第１の流路群と並ぶように配置された第２の流路群と、前記第４のチャンバに連通し、前記最上列から３番目の列で前記第１の流路群に対して前記上下方向で重ならないように配置された第３の流路群とを有し、前記圧力変化により前記第１、第２、第３及び第４の流路群から前記気体を吐出させるノズル体と、
前記第１の流路群と前記第２の流路群との間に設けられた第１の仕切り板と、
前記第２の流路群と前記第３の流路群との間に設けられた第２の仕切り板と
を具備することを特徴とする噴流発生装置。
【請求項１２】
第１、第２、第３及び第４のチャンバを内部に有し、気体が含まれた筐体と、前記筐体の内部を仕切ることで上下方向に配列された前記第１及び第２のチャンバを形成し、前記振動により前記気体に圧力変化を与える第１の振動体と、前記筐体の内部を仕切ることで前記上下方向に配列された前記第３及び第４のチャンバを形成し、前記振動により前記気体に圧力変化を与える第２の振動体とを備える噴流発生装置に用いられるノズル体であって、
前記第１のチャンバに連通し、前記圧力変化により前記気体を吐出させる第１の流路群と、
前記第２のチャンバに連通し、水平方向で前記第１の流路群と並ぶように配列された、前記圧力変化により前記気体を吐出させる第２の流路群と、
前記第３のチャンバに連通し、前記圧力変化により前記気体を吐出させる第３の流路群と、
前記第４のチャンバに連通し、前記水平方向で前記第３の流路群と並ぶように配列された、前記圧力変化により前記気体を吐出させる第４の流路群と
を具備することを特徴とするノズル体。
【請求項１３】
請求項１２に記載の噴流発生装置であって、
前記第１の流路群と前記第４の流路群とが前記上下方向で並ぶように配置され、かつ、前記第２の流路群と前記第３の流路群とが前記上下方向で並ぶように配置され、
前記第１の流路群と前記第４の流路群との間、及び、前記第２の流路群と前記第３の流路群との間のうち、少なくとも一方に配置された仕切り板をさらに具備することを特徴とするノズル体。
【請求項１４】
第１、第２、第３及び第４のチャンバを内部に有し、気体が含まれた筐体と、前記筐体の内部を仕切ることで上下方向に配列された前記第１及び第２のチャンバを形成し、前記振動により前記気体に圧力変化を与える第１の振動体と、前記筐体の内部を仕切ることで前記上下方向に配列された前記第３及び第４のチャンバを形成し、前記振動により前記気体に圧力変化を与える第２の振動体とを備える噴流発生装置に用いられるノズル体であって、
前記第１のチャンバに連通し、前記圧力変化により前記気体を吐出させる第１の流路群と、
前記第２のチャンバに連通し、前記圧力変化により前記気体を吐出させる第２の流路群と、
前記第３のチャンバに連通し、水平方向で前記第１の流路群と並ぶように配列された、前記圧力変化により前記気体を吐出させる第３の流路群と、
前記第４のチャンバに連通し、前記水平方向で前記第２の流路群と並ぶように配列された、前記圧力変化により前記気体を吐出させる第４の流路群と
を具備することを特徴とするノズル体。
【請求項１５】
請求項１４に記載の噴流発生装置であって、
前記第１の流路群と前記第２の流路群とが前記上下方向で並ぶように配置され、かつ、前記第３の流路群と前記第４の流路群とが前記上下方向で並ぶように配置され、
前記第１の流路群と前記第２の流路群との間、及び、前記第３の流路群と前記第４の流路群との間のうち、少なくとも一方に配置された仕切り板をさらに具備することを特徴とするノズル体。
【請求項１６】
第１、第２、第３及び第４のチャンバを内部に有し、気体が含まれた筐体と、前記筐体の内部を仕切ることで上下方向に配列された前記第１及び第２のチャンバを形成し、前記振動により前記気体に圧力変化を与える第１の振動体と、前記筐体の内部を仕切ることで前記上下方向に配列された前記第３及び第４のチャンバを形成し、前記振動により前記気体に圧力変化を与える第２の振動体とを備える噴流発生装置に用いられるノズル体であって、
前記第１のチャンバに連通し、最上列に配置され、前記圧力変化により前記気体を吐出させる第１の流路群と、
前記第２のチャンバに連通し、前記最上列から２番目の列で前記第１の流路群と並ぶように配置され、前記圧力変化により前記気体を吐出させる第２の流路群と、
前記第３のチャンバに連通し、前記最上列から３番目の列で前記第１の流路群と並ぶように配置され、前記圧力変化により前記気体を吐出させる第３の流路群と、
前記第４のチャンバに連通し、前記最上列から４番目の列で前記第１の流路群に対して前記上下方向で重ならないように配置され、前記圧力変化により前記気体を吐出させる第４の流路群と、
前記第１の流路群と前記第２の流路群との間に設けられた第１の仕切り板と、
前記第３の流路群と前記第４の流路群との間に設けられた第２の仕切り板と
を具備することを特徴とするノズル体。
【請求項１７】
第１、第２、第３及び第４のチャンバを内部に有し、気体が含まれた筐体と、前記筐体の内部を仕切ることで上下方向に配列された前記第１及び第２のチャンバを形成し、前記振動により前記気体に圧力変化を与える第１の振動体と、前記筐体の内部を仕切ることで前記上下方向に配列された前記第３及び第４のチャンバを形成し、前記振動により前記気体に圧力変化を与える第２の振動体とを備える噴流発生装置に用いられるノズル体であって、
前記第１のチャンバに連通し、最上列に配置され、前記圧力変化により前記気体を吐出させる第１の流路群と、
前記第２のチャンバ及び第３のチャンバに連通し、前記最上列から２番目の列で前記第１の流路群と並ぶように配置され、前記圧力変化により前記気体を吐出させる第２の流路群と、
前記第４のチャンバに連通し、前記最上列から３番目の列で前記第１の流路群に対して前記上下方向で重ならないように配置され、前記圧力変化により前記気体を吐出させる第３の流路群と、
前記第１の流路群と前記第２の流路群との間に設けられた第１の仕切り板と、
前記第２の流路群と前記第３の流路群との間に設けられた第２の仕切り板と
を具備することを特徴とするノズル体。
【請求項１８】
発熱体と、
第１、第２、第３及び第４のチャンバを内部に有し、気体が含まれた筐体と、
前記筐体の内部を仕切ることで上下方向に配列された前記第１及び第２のチャンバを形成し、前記振動により前記気体に圧力変化を与える第１の振動体と、
前記筐体の内部を仕切ることで前記上下方向に配列された前記第３及び第４のチャンバを形成し、前記振動により前記気体に圧力変化を与える第２の振動体と、
前記第１のチャンバに連通する第１の流路群と、前記第２のチャンバに連通し、水平方向で前記第１の流路群と並ぶように配列された第２の流路群と、前記第３のチャンバに連通する第３の流路群と、前記第４のチャンバに連通し、前記水平方向で前記第３の流路群と並ぶように配列された、前記気体を吐出させる第４の流路群とを有し、前記圧力変化により、前記発熱体に向けて前記第１、第２、第３及び第４の流路群から前記気体を吐出させるノズル体と
を具備することを特徴とする電子機器。
【請求項１９】
発熱体と、
第１、第２、第３及び第４のチャンバを内部に有し、気体が含まれた筐体と、
前記筐体の内部を仕切ることで上下方向に配列された前記第１及び第２のチャンバを形成し、前記振動により前記気体に圧力変化を与える第１の振動体と、
前記筐体の内部を仕切ることで前記上下方向に配列された前記第３及び第４のチャンバを形成し、前記振動により前記気体に圧力変化を与える第２の振動体と、
前記第１のチャンバに連通する第１の流路群と、前記第２のチャンバに連通する第２の流路群と、前記第３のチャンバに連通し、水平方向で前記第１の流路群と並ぶように配列された第３の流路群と、前記第４のチャンバに連通し、前記水平方向で前記第２の流路群と並ぶように配列された第４の流路群とを有し、前記圧力変化により、前記発熱体に向けて前記第１、第２、第３及び第４の流路群から前記気体を吐出させるノズル体と
を具備することを特徴とする電子機器。
【請求項２０】
第１の発熱体と、
第２の発熱体と、
第１、第２、第３及び第４のチャンバを内部に有し、気体が含まれた筐体と、
前記筐体の内部を仕切ることで上下方向に配列された前記第１及び第２のチャンバを形成し、前記振動により前記気体に圧力変化を与える第１の振動体と、
前記筐体の内部を仕切ることで前記上下方向に配列された前記第３及び第４のチャンバを形成し、前記振動により前記気体に圧力変化を与える第２の振動体と、
前記第１のチャンバに連通する第１の流路群と、前記第２のチャンバに連通する第２の流路群とを有し、前記圧力変化により前記第１及び第２の流路群から、前記第１の発熱体へ向けて第１の方向へ前記気体を吐出させる第１のノズル体と、
前記第３のチャンバに連通する第３の流路群と、前記第４のチャンバに連通する第４の流路群とを有し、前記圧力変化により前記第３及び第４の流路群から前記気体を、前記第２の発熱体へ向けて前記第１の方向とは異なる第２の方向へ吐出させる第２のノズル体と
を具備することを特徴とする電子機器。